【手続補正書】
【提出日】平成28年11月9日(2016.11.9)
【手続補正１】
【補正対象書類名】明細書
【補正対象項目名】００１２
【補正方法】変更
【補正の内容】
【００１２】
なお、ここでいう低背とは、光学全長が撮像素子の有効撮像面の対角線の長さよりも短いレベルを指しており、広角とは全画角で７０°以上のレベルを指している。また、撮像素子の有効撮像面の対角線の長さとは、撮像レンズに入射した最大画角からの光線が像面に入射する位置の光軸から垂直な高さ、すなわち最大像高の２倍の長さを意味するものとする。
【手続補正２】
【補正対象書類名】特許請求の範囲
【補正対象項目名】全文
【補正方法】変更
【補正の内容】
【特許請求の範囲】
【請求項１】
固体撮像素子上に被写体の像を結像する撮像レンズであって、物体側から像側に向かって順に、物体側に凸面を向けた正の屈折力を有する第１レンズと、負の屈折力を有する第２レンズと、正または負の屈折力を有し、少なくとも１面が非球面の第３レンズと、正の屈折力を有する第４レンズと、光軸近傍で像側に凹面を向けたメニスカス形状で、両面が非球面の第５レンズと、光軸近傍で物体側に凹面を向けたメニスカス形状の第６レンズとから成り、前記第５レンズの両面には光軸上以外の位置に変極点が形成され、以下の条件式（５）を満足することを特徴とする撮像レンズ。
（５）−３．０＜ｆ６／ｆ＜−０．８
ただし、
ｆ：撮像レンズ全系の焦点距離
ｆ６：第６レンズの焦点距離
【請求項２】
以下の条件式（１）を満足することを特徴とする、請求項１に記載の撮像レンズ。
（１）０．５＜ｆ１／ｆ＜１．５
ただし、
ｆ：撮像レンズ全系の焦点距離
ｆ１：第１レンズの焦点距離
【請求項３】
以下の条件式（２）を満足することを特徴とする、請求項１または２に記載の撮像レンズ。
（２）−２．０＜ｆ２／ｆ＜−０．５
ただし、
ｆ：撮像レンズ全系の焦点距離
ｆ２：第２レンズの焦点距離
【請求項４】
以下の条件式（３）を満足することを特徴とする、請求項１または２に記載の撮像レンズ。
（３）０．３＜ｆ４／ｆ＜１．０
ただし、
ｆ：撮像レンズ全系の焦点距離
ｆ４：第４レンズの焦点距離
【請求項５】
以下の条件式（４）を満足することを特徴とする、請求項１または２に記載の撮像レンズ。
（４）−１．５＜ｆ５／ｆ＜−０．３
ただし、
ｆ：撮像レンズ全系の焦点距離
ｆ５：第５レンズの焦点距離
【請求項６】
前記第３レンズは光軸近傍で物体側に凸面を向けたメニスカス形状であることを特徴とする、請求項１に記載の撮像レンズ。
【請求項７】
以下の条件式（６）を満足することを特徴とする、請求項１に記載の撮像レンズ。
（６）０．３＜ｒ４／ｆ＜１．０
ただし、
ｆ：撮像レンズ全系の焦点距離
ｒ４：第２レンズの像側の面の曲率半径
【請求項８】
以下の条件式（７）および（８）を満足することを特徴とする、請求項１に記載の撮像レンズ。
（７）２０＜νｄ１−νｄ２＜５０
（８）５０＜νｄ３、νｄ４、νｄ５、νｄ６＜８０
ただし、
νｄ１：第１レンズのｄ線に対するアッベ数
νｄ２：第２レンズのｄ線に対するアッベ数
νｄ３：第３レンズのｄ線に対するアッベ数
νｄ４：第４レンズのｄ線に対するアッベ数
νｄ５：第５レンズのｄ線に対するアッベ数
νｄ６：第６レンズのｄ線に対するアッベ数
【請求項９】
以下の条件式（９）および（１０）を満足することを特徴とする、請求項１に記載の撮像レンズ。
（９）１．０＜（ｒ９＋ｒ１０）／（ｒ９−ｒ１０）＜２．７
（１０）−１．５＜（ｒ１１＋ｒ１２）／（ｒ１１−ｒ１２）＜−０．５
ただし、
ｒ９：第５レンズの物体側の面の曲率半径
ｒ１０：第５レンズの像側の面の曲率半径
ｒ１１：第６レンズの物体側の面の曲率半径
ｒ１２：第６レンズの像側の面の曲率半径
【請求項１０】
以下の条件式（１１）を満足することを特徴とする、請求項１または２に記載の撮像レンズ。
（１１）０．３＜ｆ４／ｆ１＜１．５
ただし、
ｆ１：第１レンズの焦点距離
ｆ４：第４レンズの焦点距離
【請求項１１】
固体撮像素子上に被写体の像を結像する撮像レンズであって、物体側から像側に向かって順に、物体側に凸面を向けた正の屈折力を有する第１レンズと、負の屈折力を有する第２レンズと、光軸近傍で物体側に凸面を向けたメニスカス形状で正または負の屈折力を有し、少なくとも１面が非球面の第３レンズと、正の屈折力を有する第４レンズと、光軸近傍で像側に凹面を向けたメニスカス形状で、両面が非球面の第５レンズと、光軸近傍で物体側に凹面を向けたメニスカス形状の第６レンズとから成り、前記第５レンズの両面には光軸上以外の位置に変極点が形成されていることを特徴とする撮像レンズ。
【請求項１２】
以下の条件式（１）を満足することを特徴とする、請求項１１に記載の撮像レンズ。
（１）０．５＜ｆ１／ｆ＜１．５
ただし、
ｆ：撮像レンズ全系の焦点距離
ｆ１：第１レンズの焦点距離
【請求項１３】
以下の条件式（２）を満足することを特徴とする、請求項１１に記載の撮像レンズ。
（２）−２．０＜ｆ２／ｆ＜−０．５
ただし、
ｆ：撮像レンズ全系の焦点距離
ｆ２：第２レンズの焦点距離
【請求項１４】
以下の条件式（３）を満足することを特徴とする、請求項１１に記載の撮像レンズ。
（３）０．３＜ｆ４／ｆ＜１．０
ただし、
ｆ：撮像レンズ全系の焦点距離
ｆ４：第４レンズの焦点距離
【請求項１５】
以下の条件式（４）を満足することを特徴とする、請求項１１に記載の撮像レンズ。
（４）−１．５＜ｆ５／ｆ＜−０．３
ただし、
ｆ：撮像レンズ全系の焦点距離
ｆ５：第５レンズの焦点距離
【請求項１６】
以下の条件式（５）を満足することを特徴とする、請求項１１に記載の撮像レンズ。
（５）−３．０＜ｆ６／ｆ＜−０．８
ただし、
ｆ：撮像レンズ全系の焦点距離
ｆ６：第６レンズの焦点距離
【請求項１７】
以下の条件式（６）を満足することを特徴とする、請求項１１に記載の撮像レンズ。
（６）０．３＜ｒ４／ｆ＜１．０
ただし、
ｆ：撮像レンズ全系の焦点距離
ｒ４：第２レンズの像側の面の曲率半径
【請求項１８】
以下の条件式（７）および（８）を満足することを特徴とする、請求項１１に記載の撮像レンズ。
（７）２０＜νｄ１−νｄ２＜５０
（８）５０＜νｄ３、νｄ４、νｄ５、νｄ６＜８０
ただし、
νｄ１：第１レンズのｄ線に対するアッベ数
νｄ２：第２レンズのｄ線に対するアッベ数
νｄ３：第３レンズのｄ線に対するアッベ数
νｄ４：第４レンズのｄ線に対するアッベ数
νｄ５：第５レンズのｄ線に対するアッベ数
νｄ６：第６レンズのｄ線に対するアッベ数
【請求項１９】
以下の条件式（９）および（１０）を満足することを特徴とする、請求項１１に記載の撮像レンズ。
（９）１．０＜（ｒ９＋ｒ１０）／（ｒ９−ｒ１０）＜２．７
（１０）−１．５＜（ｒ１１＋ｒ１２）／（ｒ１１−ｒ１２）＜−０．５
ただし、
ｒ９：第５レンズの物体側の面の曲率半径
ｒ１０：第５レンズの像側の面の曲率半径
ｒ１１：第６レンズの物体側の面の曲率半径
ｒ１２：第６レンズの像側の面の曲率半径
【請求項２０】
以下の条件式（１１）を満足することを特徴とする、請求項１１に記載の撮像レンズ。
（１１）０．３＜ｆ４／ｆ１＜１．５
ただし、
ｆ１：第１レンズの焦点距離
ｆ４：第４レンズの焦点距離
【手続補正３】
【補正対象書類名】図面
【補正対象項目名】図２
【補正方法】変更
【補正の内容】
【図２】
2015121730.tif 000001
【手続補正４】
【補正対象書類名】図面
【補正対象項目名】図３
【補正方法】変更
【補正の内容】
【図３】
2015121730.tif 000002
【手続補正５】
【補正対象書類名】図面
【補正対象項目名】図４
【補正方法】変更
【補正の内容】
【図４】
2015121730.tif 000003
【手続補正６】
【補正対象書類名】図面
【補正対象項目名】図６
【補正方法】変更
【補正の内容】
【図６】
2015121730.tif 000004
【手続補正７】
【補正対象書類名】図面
【補正対象項目名】図８
【補正方法】変更
【補正の内容】
【図８】
2015121730.tif 000005
【手続補正８】
【補正対象書類名】図面
【補正対象項目名】図１０
【補正方法】変更
【補正の内容】
【図１０】
2015121730.tif 000006
【手続補正９】
【補正対象書類名】図面
【補正対象項目名】図１２
【補正方法】変更
【補正の内容】
【図１２】
2015121730.tif 000007